【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
光路上に移動可能に配置されたズームレンズおよびフォーカスレンズと、鏡筒に出し入れされるフィルタと、前記フォーカスレンズからの光を受光して三原色信号を生成する撮像素子とを有する光学系と、
第１の原色信号と第３の原色信号との比である第１比と、第２の原色信号と前記第３の原色信号との比である第２比とを計算する色正規化手段と、
前記フィルタの出し入れに係る第１の状態における、ズームレンズ位置と該ズームレンズ位置においてピントが合う時のフォーカスレンズ位置との関係を示す複数のズームトラッキング曲線データを予め記憶する記憶手段と、
前記フィルタの出し入れに係る第２の状態に移行した場合に生じる色収差によるピントずれを解消するようなフォーカスレンズ位置の補正量であって、前記第１比と第２比の大きさに応じた補正量を予め記憶する補正量記憶手段と、
前記フィルタの出し入れに係る第２の状態に移行した場合に、ズームレンズ位置に対応して前記ズームトラッキング曲線データから求まるフォーカスレンズ位置を、前記補正量記憶手段に記憶された前記補正量に基づいて補正して補正位置信号を生成する補正手段と、
前記補正位置信号に基づいて前記フォーカスレンズを移動させるフォーカスレンズ駆動手段と
を有する
レンズ制御装置。
【請求項２】
前記補正量記憶手段は、
前記第１比と第２比の大きさに係る複数の状態での補正量を、少なくとも２個のズームレンズ位置について記憶し、
該ズームレンズ位置のうちの２個は、前記ズームレンズが移動し得る両端の位置である
請求項１記載のレンズ制御装置。
【請求項３】
前記補正量記憶手段は、前記第１比と第２比の大きさに係る複数の状態での補正量を、少なくとも３個のズームレンズ位置について記憶し、
前記補正手段は、ズームレンズ位置に対応する補正量を前記補正量記憶手段の記憶データに基づいて折れ線近似により求め、当該補正量で補正する
請求項２記載のレンズ制御装置。
【請求項４】
前記フィルタの出し入れに係る第１の状態は、前記鏡筒に前記フィルタを入れた状態であり、
前記フィルタの出し入れに係る第２の状態は、前記鏡筒から前記フィルタを出した状態である
請求項１記載のレンズ制御装置。
【請求項５】
前記第１の原色信号は赤の原色信号であり、
前記第２の原色信号は青の原色信号であり、
前記第３の原色信号は緑の原色信号であり、
前記フィルタは赤外線遮断フィルタである
請求項１記載のレンズ制御装置。
【請求項６】
光路上に移動可能に配置されたズームレンズおよびフォーカスレンズと、鏡筒に出し入れされるフィルタと、前記フォーカスレンズからの光を受光する撮像素子とを有する光学系と、
前記撮像素子の出力信号に基づいて三原色信号を生成する三原色信号生成手段と、
第１の原色信号と第３の原色信号との比である第１比と、第２の原色信号と前記第３の原色信号との比である第２比とを計算する色正規化手段と、
前記フィルタの出し入れに係る第１の状態における、ズームレンズ位置と該ズームレンズ位置においてピントが合う時のフォーカスレンズ位置との関係を示す複数のズームトラッキング曲線データを予め記憶する記憶手段と、
前記フィルタの出し入れに係る第２の状態に移行した場合に生じる色収差によるピントずれを解消するようなフォーカスレンズ位置の補正量であって、前記第１比と第２比の大きさに応じた補正量を予め記憶する補正量記憶手段と、
前記フィルタの出し入れに係る第２の状態に移行した場合に、ズームレンズ位置に対応して前記ズームトラッキング曲線データから求まるフォーカスレンズ位置を、前記補正量記憶手段に記憶された前記補正量に基づいて補正して補正位置信号を生成する補正手段と、
前記補正位置信号に基づいて前記フォーカスレンズを移動させるフォーカスレンズ駆動手段と
を有する
レンズ制御装置。
【請求項７】
前記補正量記憶手段は、
前記第１比と第２比の大きさに係る複数の状態での補正量を、少なくとも２個のズームレンズ位置について記憶し、
該ズームレンズ位置のうちの２個は、前記ズームレンズが移動し得る両端の位置である
請求項６記載のレンズ制御装置。
【請求項８】
前記補正量記憶手段は、前記第１比と第２比の大きさに係る複数の状態での補正量を、少なくとも３個のズームレンズ位置について記憶し、
前記補正手段は、ズームレンズ位置に対応する補正量を前記補正量記憶手段の記憶データに基づいて折れ線近似により求め、当該補正量で補正する
請求項７記載のレンズ制御装置。
【請求項９】
前記フィルタの出し入れに係る第１の状態は、前記鏡筒に前記フィルタを入れた状態であり、
前記フィルタの出し入れに係る第２の状態は、前記鏡筒から前記フィルタを出した状態である
請求項６記載のレンズ制御装置。
【請求項１０】
前記第１の原色信号は赤の原色信号であり、
前記第２の原色信号は青の原色信号であり、
前記第３の原色信号は緑の原色信号であり、
前記フィルタは赤外線遮断フィルタである
請求項６記載のレンズ制御装置。
【請求項１１】
光路上に移動可能に配置されたズームレンズおよびフォーカスレンズと、鏡筒に出し入れされるフィルタと、前記フォーカスレンズからの光を受光して三原色信号を生成する撮像素子とを有する光学系と、
第１の原色信号と第３の原色信号との比である第１比と、第２の原色信号と前記第３の原色信号との比である第２比とを計算する色正規化手段と、
前記フィルタの出し入れに係る第１の状態における、ズームレンズ位置と該ズームレンズ位置においてピントが合う時のフォーカスレンズ位置との関係を示す複数のズームトラッキング曲線データを予め記憶する記憶手段と、
前記フィルタの出し入れに係る第２の状態に移行した場合に生じる色収差によるピントずれを解消するようなフォーカスレンズ位置の補正量であって、前記第１比と第２比の大きさに応じた補正量を予め記憶する補正量記憶手段と、
前記フィルタの出し入れに係る第２の状態に移行した場合に、ズームレンズ位置に対応して前記ズームトラッキング曲線データから求まるフォーカスレンズ位置を、前記補正量記憶手段に記憶された前記補正量に基づいて補正して補正位置信号を生成する補正手段と、
前記補正位置信号に基づいて前記フォーカスレンズを移動させるフォーカスレンズ駆動手段と、
前記撮像素子の出力信号に基づいて映像信号を生成する映像信号生成手段と
を有する
撮像装置。
【請求項１２】
前記補正量記憶手段は、
前記第１比と第２比の大きさに係る複数の状態での補正量を、少なくとも２個のズームレンズ位置について記憶し、
該ズームレンズ位置のうちの２個は、前記ズームレンズが移動し得る両端の位置である
請求項１１記載の撮像装置。
【請求項１３】
前記補正量記憶手段は、前記第１比と第２比の大きさに係る複数の状態での補正量を、少なくとも３個のズームレンズ位置について記憶し、
前記補正手段は、ズームレンズ位置に対応する補正量を前記補正量記憶手段の記憶データに基づいて折れ線近似により求め、当該補正量で補正する
請求項１２記載の撮像装置。
【請求項１４】
前記フィルタの出し入れに係る第１の状態は、前記鏡筒に前記フィルタを入れた状態であり、
前記フィルタの出し入れに係る第２の状態は、前記鏡筒から前記フィルタを出した状態である
請求項１１記載の撮像装置。
【請求項１５】
前記第１の原色信号は赤の原色信号であり、
前記第２の原色信号は青の原色信号であり、
前記第３の原色信号は緑の原色信号であり、
前記フィルタは赤外線遮断フィルタである
請求項１１記載の撮像装置。
【請求項１６】
光路上に移動可能に配置されたズームレンズおよびフォーカスレンズと、鏡筒に出し入れされるフィルタと、前記フォーカスレンズからの光を受光する撮像素子とを有する光学系と、
前記撮像素子の出力信号に基づいて三原色信号を生成する三原色信号生成手段と、
第１の原色信号と第３の原色信号との比である第１比と、第２の原色信号と前記第３の原色信号との比である第２比とを計算する色正規化手段と、
前記フィルタの出し入れに係る第１の状態における、ズームレンズ位置と該ズームレンズ位置においてピントが合う時のフォーカスレンズ位置との関係を示す複数のズームトラッキング曲線データを予め記憶する記憶手段と、
前記フィルタの出し入れに係る第２の状態に移行した場合に生じる色収差によるピントずれを解消するようなフォーカスレンズ位置の補正量であって、前記第１比と第２比の大きさに応じた補正量を予め記憶する補正量記憶手段と、
前記フィルタの出し入れに係る第２の状態に移行した場合に、ズームレンズ位置に対応して前記ズームトラッキング曲線データから求まるフォーカスレンズ位置を、前記補正量記憶手段に記憶された前記補正量に基づいて補正して補正位置信号を生成する補正手段と、
前記補正位置信号に基づいて前記フォーカスレンズを移動させるフォーカスレンズ駆動手段と、
前記撮像素子の出力信号に基づいて映像信号を生成する映像信号生成手段と
を有する
撮像装置。
【請求項１７】
前記補正量記憶手段は、
前記第１比と第２比の大きさに係る複数の状態での補正量を、少なくとも２個のズームレンズ位置について記憶し、
該ズームレンズ位置のうちの２個は、前記ズームレンズが移動し得る両端の位置である
請求項１６記載の撮像装置。
【請求項１８】
前記補正量記憶手段は、前記第１比と第２比の大きさに係る複数の状態での補正量を、少なくとも３個のズームレンズ位置について記憶し、
前記補正手段は、ズームレンズ位置に対応する補正量を前記補正量記憶手段の記憶データに基づいて折れ線近似により求め、当該補正量で補正する
請求項１７記載の撮像装置。
【請求項１９】
前記フィルタの出し入れに係る第１の状態は、前記鏡筒に前記フィルタを入れた状態であり、
前記フィルタの出し入れに係る第２の状態は、前記鏡筒から前記フィルタを出した状態である
請求項１６記載の撮像装置。
【請求項２０】
前記第１の原色信号は赤の原色信号であり、
前記第２の原色信号は青の原色信号であり、
前記第３の原色信号は緑の原色信号であり、
前記フィルタは赤外線遮断フィルタである
請求項１６記載の撮像装置。
【請求項２１】
光路上に移動可能に配置されたレンズと、フィルタと、前記レンズからの光を受光する撮像素子とを有する光学系と、
前記撮像素子の出力信号に基づいて三原色信号を生成する三原色信号生成手段と、
第１の原色信号と第３の原色信号との比である第１比と、第２の原色信号と前記第３の原色信号との比である第２比とを計算する色正規化手段と、
前記フィルタが前記光路上の出し入れに係る第１の状態の場合に、ズームレンズ位置と該ズームレンズ位置においてピントが合う時のフォーカスレンズ位置との関係を示す複数のズームトラッキング曲線データを予め記憶する記憶手段と、
前記フィルタが前記光路上の出し入れに係る第２の状態に移行した場合に生じる色収差によるピントずれを解消するようなフォーカスレンズ位置の補正量であって、前記第１比と第２比の大きさに応じた補正量を予め記憶する補正量記憶手段と、
前記フィルタが前記光路上の出し入れに係る第２の状態に移行した場合に、ズームレンズ位置に対応して前記ズームトラッキング曲線データから求まるフォーカスレンズ位置を、前記補正量記憶手段に記憶された前記補正量に基づいて補正して補正位置信号を生成する補正手段と、
前記補正位置信号に基づいて前記フォーカスレンズを移動させるフォーカスレンズ駆動手段と、
前記撮像素子の出力信号に基づいて映像信号を生成する映像信号生成手段と
を有する
撮像装置。
【請求項２２】
前記補正量記憶手段は、
前記第１比と第２比の大きさに係る複数の状態での補正量を、少なくとも２個のズームレンズ位置について記憶し、
該ズームレンズ位置のうちの２個は、前記ズームレンズが移動し得る両端の位置である
請求項２１記載の撮像装置。
【請求項２３】
前記補正量記憶手段は、前記第１比と第２比の大きさに係る複数の状態での補正量を、少なくとも３個のズームレンズ位置について記憶し、
前記補正手段は、ズームレンズ位置に対応する補正量を前記補正量記憶手段の記憶データに基づいて折れ線近似により求め、当該補正量で補正する
請求項２１記載の撮像装置。
【請求項２４】
前記フィルタの出し入れに係る第１の状態は、前記光路上に前記フィルタを入れた状態であり、
前記フィルタの出し入れに係る第２の状態は、前記光路上から前記フィルタを出した状態である
請求項２１記載の撮像装置。
【請求項２５】
前記第１の原色信号は赤の原色信号であり、
前記第２の原色信号は青の原色信号であり、
前記第３の原色信号は緑の原色信号であり、
前記フィルタは赤外線遮断フィルタである
請求項２１記載の撮像装置。
【手続補正２】
【補正対象書類名】明細書
【補正対象項目名】００１４
【補正方法】変更
【補正の内容】
【００１４】
【発明の実施の形態】
以下、本発明の実施形態を添付図面を参照して説明する。
先ず、図１を参照して、一般に使用されている４群インナーフォーカス式のズームレンズシステムの一例を説明する。
このズームレンズシステムは、前玉レンズ１０と、ズームレンズ１１と、マスターレンズ１２と、フォーカスレンズ１３とを有し、ＣＣＤ（Charge Coupled Device ）等の撮像素子１５の受光面１４にフォーカスレンズ１３のピントを合わせるようになされる。
さらに、ズームレンズ１１を例えば図１（Ａ）から図１（Ｂ）に示すように移動させることで、フォーカスレンズ１３を所定のズームトラッキング曲線に沿って移動させることにより、ズームする、すなわち受光面１４にピントが合った状態を維持したまま画像の倍率を変化させることができる。
図中の符号ＢＡは光軸であり、符号ＢＢ，ＢＣは光路の境界である。
【手続補正３】
【補正対象書類名】明細書
【補正対象項目名】００３９
【補正方法】変更
【補正の内容】
【００３９】
ズームトラッキング曲線データおよび複数個のズームレンズ位置におけるフィルタ９の出し入れに伴う補正に係るデータは、ＣＰＵ内のＲＯＭに記憶してもよく、ＥＥＰＲＯＭ（Electrical Erasable Programmable  ＲＯＭ）など、記憶内容を容易に変更できる記憶手段に記憶してもよい。
後者では、例えば性能を変更するなどの理由でレンズまたはフィルタを変える場合等に、補正量を算出するために予め記憶しておく必要があるデータを変更することが容易となる。